(57)【要約】【課題】コイル材切削法等により作製された金属繊維素材に対して電気メッキ処理又は無電解メッキ処理を施すことにより、均一なメッキ膜を形成する。【解決手段】メッキ金属繊維交絡集合体材料Ｘが、金属繊維素材１を三次元的に交絡させて不織布状又は綿状に集団形成した金属繊維交絡集合体材料２を被処理材として、その多孔性構造を温存したまま平面的な網状に展張し、電気メッキ処理又は無電解メッキ処理を施すことにより、集合体２の骨格要素である個々の金属繊維素材１について均一なメッキ膜３を形成したものである。また、メッキ金属繊維不織布はメッキ金属繊維交絡集合体材料Ｘを圧密又は疎密にシート形成したものである。また、メッキ金属繊維交絡成形体はメッキ金属繊維交絡集合体材料Ｘを金型に充填し賦形化したものである。【選択図】      図１
2006299423.tif 000002
【特許請求の範囲】
【請求項１】
金属繊維素材を三次元的に交絡させて不織布状又は綿状に集団形成した金属繊維交絡集合体材料を被処理材として、その多孔性構造を温存したまま平面的な網状に展張し、電気メッキ処理又は無電解メッキ処理を施すことにより得られる材料であって、集合体の骨格要素である個々の金属繊維素材について均一なメッキ膜を形成してなることを特徴とするメッキ金属繊維交絡集合体材料。
【請求項２】
請求項１記載のメッキ金属繊維交絡集合体材料を圧密又は疎密にシート形成してなることを特徴とするメッキ金属繊維不織布。
【請求項３】
請求項１記載のメッキ金属繊維交絡集合体材料を金型に充填し賦形化してなることを特徴とするメッキ金属繊維交絡成形体。
【発明の詳細な説明】
【技術分野】
【０００１】
本発明は、コイル材切削法等により作製された金属繊維素材を三次元的に交絡させて不織布状又は綿状に集団形成した金属繊維交絡集合体材料を被処理材として、電気メッキ処理又は無電解メッキ処理を施すことにより、集合体の骨格要素である個々の金属繊維素材について均一なメッキ膜を形成してなるメッキ金属繊維交絡集合体材料、該材料を用いてシート状に加工形成したメッキ金属繊維不織布、及び所望の立体形状に賦形化したメッキ金属繊維交絡成形体に関する。
【背景技術】
【０００２】
従来より、メッキされた金属繊維を用いて金属繊維不織布その他の布帛を作製したものが知られている。（例えば、特許文献１、２を参照。）
【特許文献１】特開平６−３１３２５１号公報
【特許文献２】特開平６−３１３２５０号公報
【０００３】
また、カーボン繊維不織布（導電性不織布）の繊維表面に電気メッキにより鉄その他の金属めっきを施し、カーボン繊維不織布（導電性不織布）を除去した中空の金属繊維からなる金属繊維不織布が知られている。（例えば、特許文献３、４を参照。）                
【特許文献３】特開２００２−１４６６５９号公報
【特許文献４】特開２００１−３２１７０号公報
【０００４】
しかしながら、コイル材切削法等により作製された金属繊維素材を三次元的に交絡させて不織布状又は綿状に集団形成した金属繊維交絡集合体材料を被処理材とし、集合体の骨格要素である個々の金属繊維素材について均一なメッキ膜を形成したもの（本発明に関するメッキ金属繊維交絡集合体材料）は中間製品として有用であるにもかかわらず、提供されていないのが実情である。卑近な例では、鉄からなる金属繊維素材（及び金属繊維不織布）に対して酸化防止のため、しばしば所望の金属メッキによる表面処理が要請される場合がある。
【発明の開示】
【発明が解決しようとする課題】
【０００５】
解決しようとする問題点は、不織布状又は綿状に集団形成した金属繊維交絡集合体材料の骨格要素である個々の金属繊維素材について表面処理、具体的には均一なメッキ膜を形成してメッキ金属繊維交絡集合体材料を得ることである。当然のことながら、メッキ材（合金メッキ及び複合メッキを含む）は用途目的に応じて種々選択されることになる。
【０００６】
また、こうして得られたメッキ金属繊維交絡集合体材料を用いて、メッキ金属繊維不織布やメッキ金属繊維交絡成形体を作製することである。
【０００７】
本発明はこのような事情に鑑みなされたものであって、上記課題を解消し、コイル材切削法等により作製された金属繊維素材を三次元的に交絡させて不織布状又は綿状に集団形成した金属繊維交絡集合体材料を被処理材とし、電気メッキ処理又は無電解メッキ処理を施すことにより、集合体の骨格要素である個々の金属繊維素材について均一なメッキ膜を形成してなるメッキ金属繊維交絡集合体材料、該材料を用いてシート状に加工形成したメッキ金属繊維不織布、及び所望の立体形状に賦形化したメッキ金属繊維交絡成形体を提供するものである。
【課題を解決するための手段】
【０００８】
課題を解決するために本発明は、金属繊維素材を三次元的に交絡させて不織布状又は綿状に集団形成した金属繊維交絡集合体材料を被処理材として、その多孔性構造を温存したまま平面的な網状に展張し、電気メッキ処理又は無電解メッキ処理を施すことにより得られる材料であって、集合体の骨格要素である個々の金属繊維素材について均一なメッキ膜を形成してメッキ金属繊維交絡集合体材料とするものである。
【０００９】
また、上記メッキ金属繊維交絡集合体材料を圧密又は疎密にシート形成してメッキ金属繊維不織布を作製するものである。
【００１０】
また、上記メッキ金属繊維交絡集合体材料を金型に充填し賦形化してメッキ金属繊維交絡成形体を作製するものである。
【発明の効果】
【００１１】
本発明によれば、金属繊維素材を三次元的に交絡させて不織布状又は綿状に集団形成した金属繊維交絡集合体材料を被処理材として、集合体の骨格要素である個々の金属繊維素材について均一なメッキ膜を形成することができる。しかも、用途に応じた所望のメッキを施すことができ、かつ、中間製品として量産できる。
【発明を実施するための最良の形態】
【００１２】
本発明の実施の最良形態は、図１及び図２にメッキ金属繊維交絡集合体材料Ｘの一例を示すとおり、金属繊維素材１を三次元的に交絡させて不織布状又は綿状に集団形成した金属繊維交絡集合体材料２を被処理材として、その多孔性構造を温存したまま平面的な網状に展張し、電気メッキ処理又は無電解メッキ処理を施すことにより得られるメッキ金属繊維交絡集合体材料Ｘであって、集合体（２）の骨格要素である個々の金属繊維素材１について均一なメッキ膜３を形成したものである。
【００１３】
ここで、メッキ処理は公知のメッキ技術を用いればよいが、被処理材の形状・構造を考慮して、振動を与えたり、極間距離を調整したりすることが必要となる場合がある。
【００１４】
卑近な例では、金属繊維素材１は鉄であるが、これにこだわるものではない。また、メッキ材（３）についても同様である。もちろん、合金メッキ、複合メッキも考慮されてよい。
【００１５】
図１及び図２に示したメッキ金属繊維交絡集合体材料Ｘは、金属たわしの素材となる中間製品として提供されるものであるが、用途は多岐にわたることはいうまでもない。
【００１６】
また、図３及び図４にメッキ金属繊維不織布Ｙの一例を示すとおり、メッキ金属繊維交絡集合体材料Ｘを圧密又は疎密にシート形成してメッキ金属繊維不織布Ｙを作製している。
【００１７】
また、図５にメッキ金属繊維交絡成形体Ｚの一例を示すとおり、メッキ金属繊維交絡集合体材料Ｘを金型に充填し賦形化してメッキ金属繊維交絡成形体Ｚを作製するものである。
【産業上の利用可能性】
【００１８】
本発明は、多用途のメッキ金属繊維交絡集合体材料、メッキ金属繊維不織布、メッキ金属繊維交絡成形体を提供する点で有用であり、産業上の利用価値が高いものである。
【図面の簡単な説明】
【００１９】
【図１】メッキ金属繊維交絡集合体材料の一例を示す模式説明図である。
【図２】メッキ金属繊維交絡集合体材料の一例である繊維形状を示す図面代用写真である。
【図３】メッキ金属繊維不織布の一例を示す模式説明図である。
【図４】メッキ金属繊維不織布の一例である繊維形状（表面拡大）を示す図面代用写真である。
【図５】メッキ金属繊維交絡成形体の一例を示す説明図である。
【符号の説明】
【００２０】
１  金属繊維素材
２  金属繊維交絡集合体材料
３  メッキ膜（メッキ材）
Ｘ  メッキ金属繊維交絡集合体材料
Ｙ  メッキ金属繊維不織布
Ｚ  メッキ金属繊維交絡成形体
【図１】
2006299423.tif 000003
【図２】
2006299423.tif 000004
【図３】
2006299423.tif 000005
【図４】
2006299423.tif 000006
【図５】
2006299423.tif 000007